(57)【要約】【課題】雑音環境下における接続性の向上や接続速度の向上を図ることが可能なＡＤＳＬ端末装置を提供する。【解決手段】ＡＤＳＬ端末装置１側で受信した信号はトランス１１、受信部ドライバ１２、リレー１３を通して受信部Ａ／Ｄ変換部１５に入力され、ディジタル信号に変換されて制御部１６に入力される。この処理データに対し、フィルタ１４は位相同期が確立するまでの間、信号経路に挿入され、受信した信号はフィルタ１４を介して受信部Ａ／Ｄ変換部１５に入力される。フィルタ１４を介して受信部Ａ／Ｄ変換部１５に入力される信号は、高域の雑音が低減されている。受信部Ａ／Ｄ変換部１５でディジタル信号に変換された信号は制御部１６で処理され、位相同期回路で位相同期が確立される。位相同期が確立した後、フィルタ１４は制御部１６によるリレー１３の制御で信号経路から削除される。【選択図】　　　図１
2004040426.tif 000002
【特許請求の範囲】
【請求項１】
起動時に局舎側との位相同期を行うための起動手順を実行するＡＤＳＬ端末装置であって、前記起動手順において信号経路のある区間に挿入されて周波数帯域制限を行うフィルタ手段を有することを特徴とするＡＤＳＬ端末装置。
【請求項２】
前記フィルタ手段は、アナログ信号を処理するアナログ回路部及びディジタル信号を処理するディジタル回路部のうちのいずれかに配設したことを特徴とする請求項１記載のＡＤＳＬ端末装置。
【請求項３】
前記フィルタ手段は、前記局舎側から送信されるパイロットトーン信号よりも高い周波数の信号を抑圧して雑音による信号の歪みを低減することを特徴とする請求項１または請求項２記載のＡＤＳＬ端末装置。
【請求項４】
前記パイロットトーン信号は、６４番目のサブキャリアで送信される２７６ｋＨｚの正弦波であることを特徴とする請求項３記載のＡＤＳＬ端末装置。
【請求項５】
前記フィルタ手段は、前記位相同期の確立後に前記信号経路から外すことを特徴とする請求項１から請求項４のいずれか記載のＡＤＳＬ端末装置。
【請求項６】
起動時に局舎側との位相同期を行うための起動手順を実行するＡＤＳＬ起動方法であって、周波数帯域制限を行うフィルタ手段を前記起動手順において信号経路のある区間に挿入することを特徴とするＡＤＳＬ起動方法。
【請求項７】
前記フィルタ手段は、アナログ信号を処理するアナログ回路部及びディジタル信号を処理するディジタル回路部のうちのいずれかに配設したことを特徴とする請求項６記載のＡＤＳＬ起動方法。
【請求項８】
前記フィルタ手段は、前記局舎側から送信されるパイロットトーン信号よりも高い周波数の信号を抑圧して雑音による信号の歪みを低減することを特徴とする請求項６または請求項７記載のＡＤＳＬ起動方法。
【請求項９】
前記パイロットトーン信号は、６４番目のサブキャリアで送信される２７６ｋＨｚの正弦波であることを特徴とする請求項８記載のＡＤＳＬ起動方法。
【請求項１０】
前記フィルタ手段は、前記位相同期の確立後に前記信号経路から外すことを特徴とする請求項６から請求項９のいずれか記載のＡＤＳＬ起動方法。
【発明の詳細な説明】
【０００１】
【発明の属する技術分野】
本発明はＡＤＳＬ端末装置及びそれに用いるＡＤＳＬ起動方法に関し、特にインタネットへアクセスするために用いられるＡＤＳＬ（Ａｓｙｍｍｅｔｒｉｃ　Ｄｉｇｉｔａｌ　Ｓｕｂｓｃｒｉｂｅｒ　Ｌｉｎｅ）端末装置に関する。
【０００２】
【従来の技術】
インタネットへアクセスするためのサービスとしては、電話サービス用に敷設されたメタルケーブルで、データや映像等を高速に伝送する技術として、上り方向の通信速度と下り方向の通信速度とが非対称なＡＤＳＬを利用してサービスが普及してきている。
【０００３】
日本では、ＩＳＤＮ（Ｉｎｔｅｇｒａｔｅｄ　Ｓｅｒｖｉｃｅｓ　Ｄｉｇｉｔａｌ　Ｎｅｔｗｏｒｋ）に３２０ｋＨｚまでの高い周波数帯を使うため、ＡＤＳＬの周波数帯と重複する部分が多くなり、ＩＳＤＮからの漏話によってＡＤＳＬがノイズの影響を受け、伝送速度が低下したり、伝送距離が短くなる。
【０００４】
そこで、この影響を小さくするために、ＩＳＤＮ信号とＡＤＳＬ信号との伝送タイミングを調整する仕組みとしてＡｎｎｅｘ　Ｃが、日本向けの仕様として追加されて標準化されている。
【０００５】
【発明が解決しようとする課題】
上述したＡＤＳＬを利用したサービスでは、一般的に、ＡＤＳＬがベストエフォート方式（通信速度の最適化）での通信となっており、各ユーザの雑音環境や回線の長さ等によって通信速度が変化してしまう。
【０００６】
上記のＡＤＳＬを利用したサービスではＧ．９９２．２　Ａｎｎｅｘ　Ｃと呼ばれる最大１．５Ｍｂｉｔ／ｓｅｃのサービスが主流であるが、近年、Ｇ．９９２．１　Ａｎｎｅｘ　Ｃと呼ばれる最大８Ｍｂｉｔ／ｓｅｃのサービスに移行しつつある。この状況の中で、少しでも多くのユーザが好条件下で使用可能となるように、伝送特性の改善が要求されている。
【０００７】
この要請に応えるために、例えばＩＴＵ−Ｔ（Ｉｎｔｅｒｎａｔｉｏｎａｌ　Ｔｅｌｅｃｏｍｍｕｎｉｃａｔｉｏｎ　Ｕｎｉｏｎ−Ｔｅｌｅｃｏｍｍｕｎｉｃａｔｉｏｎ　Ｓｔａｎｄａｒｄｉｚａｔｉｏｎ　Ｓｅｃｔｏｒ）の会合等で、長距離での接続性の向上や通信速度の向上等、現状のＡＤＳＬ方式を超越する方式の検討がなされている。
【０００８】
そこで、本発明の目的は上記の問題点を解消し、雑音環境下における接続性の向上や接続速度（Ｄａｔａ　Ｒａｔｅ）の向上を図ることができるＡＤＳＬ端末装置及びそれに用いるＡＤＳＬ起動方法を提供することにある。
【０００９】
【課題を解決するための手段】
本発明によるＡＤＳＬ端末装置は、起動時に局舎側との位相同期を行うための起動手順を実行するＡＤＳＬ端末装置であって、前記起動手順において信号経路のある区間に挿入されて周波数帯域制限を行うフィルタ手段を備えている。
【００１０】
本発明によるＡＤＳＬ起動方法は、起動時に局舎側との位相同期を行うための起動手順を実行するＡＤＳＬ起動方法であって、周波数帯域制限を行うフィルタ手段を前記起動手順において信号経路のある区間に挿入している。
【００１１】
すなわち、本発明のＡＤＳＬ（Ａｓｙｍｍｅｔｒｉｃ　Ｄｉｇｉｔａｌ　Ｓｕｂｓｃｒｉｂｅｒ　Ｌｉｎｅ）端末装置は、ＩＴＵ−Ｔ等によって勧告化されているＡＤＳＬシステムのトレーニング（起動手順）、つまり端末側が局舎側に位相同期を行うトレーニングにおいて、その手順のある区間に周波数帯域制限用のフィルタを挿入することを特徴としている。
【００１２】
より具体的に説明すると、本発明のＡＤＳＬ端末装置では、端末側［Ｒｅｍｏｔｅ　Ｔｅｒｍｉｎａｔｉｏｎ（ＲＴ）側］でアナログ信号を処理するアナログ回路部またはディジタル信号を処理するディジタル回路部に周波数帯域制限用フィルタを設けている。
【００１３】
この周波数帯域制限用フィルタは３００ｋＨｚ近傍のカットオフ周波数のＬｏｗ　Ｐａｓｓ　Ｆｉｌｔｅｒ（ＬＰＦ）であり、局舎側［Ｃｅｎｔｒａｌ　Ｏｆｆｉｃｅ（ＣＯ）側］から送信されるパイロットトーン（Ｐｉｌｏｔ　Ｔｏｎｅ）信号（６４番目のサブキャリアで送信される２７６ｋＨｚの正弦波）よりも高い周波数の信号を抑圧し、雑音による信号の歪みの低減、端末側が局舎側に位相同期を行う際の周波数安定性の向上を図る。
【００１４】
ＡＤＳＬ端末装置では、位相同期が確立した後に、この周波数帯域制限用フィルタを外し、使用する信号帯域（１．１０４ＭＨｚまで）を抑圧しないような制御を行う。周波数帯域制限用フィルタを外すのは、ＡＤＳＬ信号の使用帯域において上りが約２５ｋＨｚ〜１３８ｋＨｚであり、下りが約１４２ｋＨｚ〜１．１ＭＨｚであるので、位相同期が確立した以降も周波数帯域制限用フィルタを挿入し続けると、下り信号に影響を及ぼしてしまうためである。
【００１５】
本発明では、周波数帯域制限用フィルタを挿入することで、端末側の位相同期回路のジッタ（Ｊｉｔｔｅｒ）を抑えることが可能となり、ＤＳＰ（Ｄｉｇｉｔａｌ　Ｓｉｇｎａｌ　Ｐｒｏｃｅｓｓｏｒ）内の受信信号処理部のＳＮＲ（信号対雑音比）を向上させることが可能となる。したがって、雑音環境下における接続性の向上や接続速度（Ｄａｔａ　Ｒａｔｅ）の向上を図ることが可能となる。
【００１６】
【発明の実施の形態】
次に、本発明の実施例について図面を参照して説明する。図１は本発明の一実施例によるＡＤＳＬ（Ａｓｙｍｍｅｔｒｉｃ　Ｄｉｇｉｔａｌ　Ｓｕｂｓｃｒｉｂｅｒ　Ｌｉｎｅ）端末装置の構成を示すブロック図である。図１において、ＡＤＳＬ端末装置（ＲＴ：Ｒｅｍｏｔｅ　Ｔｅｒｍｉｎａｔｉｏｎ）１はトランス１１と、受信部ドライバ１２と、リレー１３と、フィルタ（ＬＰＦ：Ｌｏｗ　Ｐａｓｓ　Ｆｉｌｔｅｒ）１４と、受信部Ａ／Ｄ（アナログ／ディジタル）変換部１５と、制御部（ＤＳＰ：Ｄｉｇｉｔａｌ　Ｓｉｇｎａｌ　Ｐｒｏｃｅｓｓｏｒ）１６と、送信部Ｄ／Ａ（ディジタル／アナログ）変換部１７と、送信部ドライバ１８とから構成されている。ここで、制御部１６はリレー制御信号をリレー１３に供給することで、フィルタ１４の信号経路への挿入・削除を制御する。
【００１７】
ＡＤＳＬ端末装置１側で受信した信号はトランス１１、受信部ドライバ１２、リレー１３を通して受信部Ａ／Ｄ変換部１５に入力され、ディジタル信号に変換されて制御部１６に入力される。
【００１８】
この処理データに対し、フィルタ１４は位相同期が確立するまでの間、信号経路に挿入され、受信した信号はフィルタ１４を介して受信部Ａ／Ｄ変換部１５に入力される。フィルタ１４を介して受信部Ａ／Ｄ変換部１５に入力される信号は、高域の雑音が低減されている。
【００１９】
受信部Ａ／Ｄ変換部１５でディジタル信号に変換された信号は制御部１６で処理され、位相同期回路（図示せず）で位相同期が確立される。この位相同期回路は制御部１６内部に配設されている。位相同期が確立した後、フィルタ１４は制御部１６によるリレー１３の制御で信号経路から削除され、通常のトレーニングが行われる。
【００２０】
尚、受信部ドライバ１２、受信部Ａ／Ｄ変換部１５、送信部Ｄ／Ａ変換部１７、送信部ドライバ１８は当業者にとってよく知られており、また本発明とは直接関係しないので、その詳細な構成及び動作の説明については省略する。
【００２１】
図２は本発明の一実施例におけるＡＤＳＬ信号の仕様周波数帯域を示す図である。この図２を用いてフィルタ１４について説明する。フィルタ１４は周波数帯域制限用であり、３００ｋＨｚ近傍のカットオフ周波数のＬＰＦである。
【００２２】
フィルタ１４は局舎（Ｃｅｎｔｒａｌ　Ｏｆｆｉｃｅ）２側から送信されるパイロットトーン（Ｐｉｌｏｔ　Ｔｏｎｅ）信号（６４番目のサブキャリアで送信される２７６ｋＨｚの正弦波）よりも高い周波数の信号を抑圧し、雑音による信号の歪みの低減、ＡＤＳＬ端末装置１側が局舎２側に位相同期を行う際の周波数安定性が向上する。位相同期が確立した後、このフィルタ１４を信号経路から外し、使用する信号帯域　（１．１０４ＭＨｚまで）を抑圧しないような制御を行う。
【００２３】
フィルタ１４を外すのは、図２に示すように、ＡＤＳＬ信号の使用帯域において上りが約２５ｋＨｚ〜１３８ｋＨｚであり、下りが約１４２ｋＨｚ〜１．１ＭＨｚであるので、位相同期が確立した以降もフィルタ１４を挿入し続けると、下り信号に影響を及ぼしてしまうためである。
【００２４】
本実施例では、周波数帯域制限用のフィルタ１４をリレー１３と受信部Ａ／Ｄ変換部１５との間に配置し、制御部１６によるリレー１３の制御で信号経路への挿入・削除を行っているので、ＡＤＳＬ端末装置１側の位相同期回路のジッタ（Ｊｉｔｔｅｒ）を抑えることができ、制御部１６内の受信信号処理部（図示せず）のＳＮＲ（信号対雑音比）を向上させることができる。よって、雑音環境下における接続性の向上や接続速度（Ｄａｔａ　Ｒａｔｅ）の向上を図ることができる。
【００２５】
図３は図１のフィルタ１４の挿入タイミングを示す図である。これら図１〜図３を参照して本発明の一実施例によるフィルタ１４の挿入・削除の動作について説明する。
【００２６】
まず、ＡＤＳＬのトレーニング（起動手順）の動作について、図３を用いて説明する。トレーニングの詳細動作は、勧告化されている動作であるので、その説明については省略する。
【００２７】
ＡＤＳＬのトレーニングにおいて、局舎２からはＣ−ＱＵＩＥＴ２信号、Ｃ−ＰＩＬＯＴ１信号、Ｃ−ＲＥＶＥＲＢ１信号、Ｃ−ＰＩＬＯＴ２信号、Ｃ−ＥＣＴ信号がＡＤＳＬ端末装置１に出力される。ＡＤＳＬ端末装置１では上記の局舎２からの信号に応答して、Ｒ−ＱＵＩＥＴ２信号、Ｒ−ＲＥＶＥＲＢ１信号、Ｒ−ＱＵＩＥＴ３信号が局舎２に出力される。
【００２８】
周波数帯域制限用のフィルタ１４はＡＤＳＬのトレーニングの開始から局舎２側が出力するＣ−ＰＩＬＯＴ２信号を受信するまでの間、リレー１３によって信号経路に挿入される。
【００２９】
このように、ＡＤＳＬ端末装置１側のアナログ部にフィルタ１４を挿入することで、ＡＤＳＬ端末装置１側は雑音に影響されずに、安定した同期状態を確立することができる。よって、ＡＤＳＬ端末装置１側の位相同期回路のジッタ（Ｊｉｔｔｅｒ）を抑えることができ、制御部１６内の受信信号処理部のＳＮＲ（信号対雑音比）を向上させることができるので、結果的に雑音環境下における接続性の向上や接続速度（Ｄａｔａ　Ｒａｔｅ）の向上を図ることができるという効果が得られる。
【００３０】
また、本実施例では、近接回線からの漏話雑音やＡＭラジオ等の伝送波からの影響等、ＡＤＳＬ回線上から回り込むあらゆる雑音に対して有効である。尚、本実施例では、アナログ部にフィルタ１４を挿入する構成としているが、位相同期回路前段のディジタル部で、上記と同様のフィルタを構成しても同様の効果が得られる。
【００３１】
図４は本発明の他の実施例によるフィルタの周波数特性を示す図である。本発明の他の実施例はその基本的構成が、上述した本発明の一実施例の構成と同様であるが、フィルタ１４について本発明の一実施例よりさらに工夫している。
【００３２】
図４において、フィルタ１４をバンドパス（Ｂａｎｄ　Ｐａｓｓ　Ｆｉｌｔｅｒ）にしたり、カットオフ周波数を変更することでも、上記と同様の効果が得られる。また、フィルタ１４の切替えタイミングを図３に示すタイミングから違うタイミングに変更しても、上述した本発明の一実施例と同様の効果が得られる。
【００３３】
【発明の効果】
以上説明したように本発明は、起動時に局舎側との位相同期を行うための起動手順を実行するＡＤＳＬ端末装置において、起動手順において信号経路のある区間に、周波数帯域制限を行うフィルタ手段を挿入することによって、雑音環境下における接続性の向上や接続速度（Ｄａｔａ　Ｒａｔｅ）の向上を図ることができるという効果が得られる。
【図面の簡単な説明】
【図１】本発明の一実施例によるＡＤＳＬ端末装置の構成を示すブロック図である。
【図２】本発明の一実施例におけるＡＤＳＬ信号の仕様周波数帯域を示す図である。
【図３】図１のフィルタの挿入タイミングを示す図である。
【図４】本発明の他の実施例によるフィルタの周波数特性を示す図である。
【符号の説明】
１　ＡＤＳＬ端末装置
２　局舎
１１　トランス
１２　受信部ドライバ
１３　リレー
１４　フィルタ
１５　受信部Ａ／Ｄ変換部
１６　制御部
１７　送信部Ｄ／Ａ変換部
１８　送信部ドライバ
【図１】
2004040426.tif 000003
【図２】
2004040426.tif 000004
【図３】
2004040426.tif 000005
【図４】
2004040426.tif 000006